(57)【要約】【課題】  同期信号位置の異なるアドレスパターンにおける連続的な同期検出方法を得る。【解決手段】  周期カウンタによりカウンタ値0の位置の同期信号検出窓と、正方向及び負方向へ同期信号位置のシフト量分だけカウンタ値がずれた位置での同期信号検出窓を用いて、同期信号を連続的に検出して、正しいアドレスを検出することができる。【選択図】  図１
2006139816.tif 000002
【特許請求の範囲】
【請求項１】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された光ディスクを記録再生する光ディスク装置に用いられる同期信号を検出する集積回路であって、
前記パターンの所定の位置に対応する第１のタイミングと、前記第１のタイミングよりjTだけ正方向へシフトした第２のタイミングと、前記第１のタイミングより負方向へjTだけシフトした第３のタイミングと、を生成する周期カウンタ手段と、
前記第１のタイミングで第１の同期信号検出窓、前記第２のタイミングで第２の同期信号検出窓、前記第３のタイミングで第３の同期信号検出窓、を生成する同期信号検出窓生成手段と、
いずれかの同期信号検出窓で抽出された信号から前記同期信号を検出する同期信号検出手段と、
を具備することを特徴とする集積回路。
【請求項２】
周期iT（i：正の整数、T：信号長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が入力される入力部と、
前記パターンの所定の位置に対応する第１のタイミングと、前記第１のタイミングよりjTだけ正方向へシフトした第２のタイミングと、前記第１のタイミングより負方向へjTだけシフトした第３のタイミングと、を生成する周期カウンタ手段と、
前記第１のタイミングで第１の同期信号検出窓、前記第２のタイミングで第２の同期信号検出窓、前記第３のタイミングで第３の同期信号検出窓、を生成する同期信号検出窓生成手段と、
いずれかの同期信号検出窓で抽出された信号から前記同期信号を検出する同期信号検出手段と、
を具備することを特徴とする集積回路。
【請求項３】
周期iT（i：正の整数、T：光ディスク上の記録マーク長の基本単位であるチャネルビット）のパターンであって先頭に同期信号とそれに続くアドレス情報を有する第１のパターンから、周期iTのパターンであって先頭からMjT（M：正の整数、j：j＜iなる正の整数）のタイミングに同期信号とそれに続くアドレス情報を有する第（M+1）のパターンまでの（M+1）個のパターンが入力される入力部と、
第１のタイミングを中心にjT間隔で（2M+1）個のタイミングを生成する周期カウンタと、
前記（2M+1）個のタイミングに対応する同期信号検出窓を生成する同期信号検出窓生成手段と、
いずれかの同期信号検出窓で抽出された信号から前記同期信号を検出する同期信号検出手段と、
を具備することを特徴とする集積回路。
【請求項４】
請求項１、請求項２、請求項３のいずれか一項に記載の集積回路において、
前記同期信号検出窓のうち、同期信号が検出された一の窓を第１の同期信号検出窓とするように前記第１のタイミングが補正されることを特徴とする集積回路。
【請求項５】
請求項１、請求項２、請求項３、請求項４のいずれか一項に記載の集積回路において、
さらに、前記第１のタイミングから正方向へkT（k：正の整数、i≠k≠j）シフトしたタイミングで、前記アドレス情報を検出するためのアドレス検出窓を生成するアドレス窓生成手段と、
該アドレス検出窓で抽出された信号から前記アドレス情報を検出するアドレス検出手段と、を具備し、
ぞれぞれのパターンにおけるアドレス情報を検出することを特徴とする集積回路。
【請求項６】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された光ディスクを記録再生する光ディスク装置に用いられる同期信号を検出する集積回路であって、
前記パターンの所定の位置に対応する第１のタイミングと、前記第１のタイミングよりjTだけ正方向へシフトした第２のタイミングと、を生成する周期カウンタ手段と、
前記第１のタイミングで第１の同期信号検出窓、前記第２のタイミングで第２の同期信号検出窓、を生成する同期信号検出窓生成手段と、
いずれかの同期信号検出窓で抽出された信号から前記同期信号を検出する同期信号検出手段と、
前記第１のタイミングから正方向へkT（k：正の整数、i≠k≠j）シフトしたタイミングで、第１のアドレス検出窓を生成する第１のアドレス窓生成手段と、
前記第１のタイミングから正方向へkT＋jTシフトしたタイミングで、第２のアドレス検出窓を生成する第２のアドレス窓生成手段と、
いずれかのアドレス検出窓で抽出された信号から前記アドレス情報を検出するアドレス検出手段と、
を具備することを特徴とする集積回路。
【請求項７】
請求項６に記載の集積回路において、
前記アドレス検出手段が検出した前記第1又は第２のパターンにおけるアドレス情報に基づき、前記第１の同期信号検出窓により第２のパターンの同期信号を検出した場合には、前記第１の同期信号検出窓により第１のパターンの同期信号を検出するように前記周期カウンタが補正されることを特徴とする集積回路。
【請求項８】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された光ディスクを記録再生する光ディスク装置に用いられる同期信号を検出する集積回路であって、
前記パターンの所定の位置に対応する第１のタイミングと、前記第１のタイミングよりjTだけ正方向へシフトした第２のタイミングと、前記第１のタイミングより負方向へjTだけシフトした第３のタイミングと、を生成する周期カウンタ手段と、
前記第１のタイミングで第１の同期信号検出窓、前記第２のタイミングで第２の同期信号検出窓、前記第３のタイミングで第３の同期信号検出窓、を生成する同期信号検出窓生成手段と、
いずれかの同期信号検出窓で抽出された信号から前記同期信号を検出する同期信号検出手段と、
前記光ディスクのアドレス情報を抽出するためのアドレス検出窓を生成するアドレス窓生成手段と、
前記第２のパターンにおける同期信号及びアドレス情報の配置を前記第１のパターンの配置に変換する変換手段と、
を具備することを特徴とする集積回路。
【請求項９】
請求項８に記載の集積回路において、
いずれかの同期信号検出窓及び前記アドレス検出窓により検出された前記２種類のパターンを第1のパターンに変換することを特徴とする集積回路。
【請求項１０】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された光ディスクを記録再生する光ディスク装置に用いられる同期信号を検出する集積回路であって、
前記パターンの所定の位置に対応する第１のタイミングと、前記第１のタイミングよりjTだけ正方向へシフトした第２のタイミングと、前記第１のタイミングより負方向へjTだけシフトした第３のタイミングと、を生成する周期カウンタ手段と、
前記第１のタイミングで第１の同期信号検出窓、前記第２のタイミングで第２の同期信号検出窓、前記第３のタイミングで第３の同期信号検出窓、を生成する同期信号検出窓生成手段と、
いずれかの同期信号検出窓で抽出された信号から前記同期信号を検出する同期信号検出手段と、
前記第２の同期信号検出窓の出力を切り替える第１の切替手段と、
前記第３の同期信号検出窓の出力を切り替える第２の切替手段と、
を具備することを特徴とする集積回路。
【請求項１１】
請求項１０に記載の集積回路において、
同期信号及びアドレス情報の記録が第１のパターンのみによって構成されている光ディスクを前記光ディスク記録再生装置で記録再生する際には前記第１の同期信号検出窓のみを出力するように前記第１及び第２の切替手段を制御し、同期信号及びアドレス情報の記録が第１及び第２のパターンによって構成されている光ディスクを前記光ディスク記録再生装置で記録再生する際には前記第２及び第３の同期信号検出窓を出力するように前記第１及び第２の切替手段を制御して同期信号及びアドレス情報を検出することを特徴とする集積回路。
【請求項１２】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された第１の光ディスク、又は、パターンとして前記第１のパターンのみを有する第２の光ディスクを記録再生する光ディスク装置に用いられる同期信号を検出する集積回路であって、
前記第１の光ディスクの同期信号を検出する場合と、前記第２の光ディスクの同期信号を検出する場合とで外部から異なる制御信号が入力され、該制御信号に基づき同期信号検出の出力信号を切り替える切替手段と、を具備し、
同期信号が検出されている場合は、同期信号が検出されていることを示す信号を外部へ出力することを特徴とする集積回路。
【請求項１３】
周期iT（i：正の整数、T：信号長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、を有する第１の信号列、又は、パターンとして前記第１のパターンのみを有する第２の信号列が入力される入力部と、
前記第１の信号列の同期信号を検出する場合と、前記第２の信号列の同期信号を検出する場合とで外部から異なる制御信号が入力され、該制御信号に基づき同期信号検出の出力信号を切り替える切替手段と、を具備し、
同期信号が検出されている場合は、同期信号が検出されていることを示す信号を外部へ出力することを特徴とする集積回路。
【請求項１４】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された光ディスクを記録再生する光ディスク装置に用いられる同期信号を検出する集積回路であって、
前記同期信号を検出するための同期信号検出窓を生成する３種類のタイミングが外部から入力され、
同期信号を検出できているときには、同期信号が検出できていることを示す信号を外部へ出力することを特徴とする集積回路。
【請求項１５】
周期iT（i：正の整数、T：信号長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が入力される集積回路であって、
前記同期信号を検出するための同期信号検出窓を生成する３種類のタイミングが外部から入力され、
同期信号を検出できているときには、同期信号が検出できていることを示す信号を外部へ出力することを特徴とする集積回路。
【請求項１６】
周期iT（i：正の整数、T：光ディスク上の記録マーク長の基本単位であるチャネルビット）のパターンであって先頭に同期信号とそれに続くアドレス情報を有する第１のパターンと、周期iTのパターンであって先頭からjT（j：j＜iなる正の整数）のタイミングに同期信号とそれに続くアドレス情報を有する第２のパターンと、が記録された光ディスクを記録再生する光ディスク装置に用いられる同期信号を検出する集積回路であって、
前記光ディスク記録再生装置で、アドレス情報の記録がなく周期iT毎に先頭に同期信号を配置した第１のパターンと、アドレス情報の記録がなく前記先頭からjTのタイミングに同期信号を配置した周期iTの第２のパターンを有する光ディスクに対して記録動作を実行する際、
同期信号を検出していない場合に、第１のパターンが入力され、その後第２のパターンが入力されるとき、第１のパターンと第２のパターンのいずれの同期信号も検出でき、
同期信号を検出していない場合に、第２のパターンが入力され、その後第１のパターンが入力されるときも、第１のパターンと第２のパターンのいずれの同期信号も検出でき、
同期信号を検出できているときには、外部へ同期信号が検出できていることを示す信号を出力することを特徴とする集積回路。
【請求項１７】
アドレス情報の記録がなく周期iT（i：正の整数、T：信号長の基本単位であるチャネルビット）毎に先頭に同期信号を有する第１のパターンと、アドレス情報の記録がなく前記先頭からjT（j：j＜iなる正の整数）のタイミングに同期信号を有する周期iTの第２のパターンを有する信号が入力される集積回路であって、
同期信号を検出していない場合に、第１のパターンが入力され、その後第２のパターンが入力されるとき、第１のパターンと第２のパターンのいずれの同期信号も検出でき、
同期信号を検出していない場合に、第２のパターンが入力され、その後第１のパターンが入力されるときも、第１のパターンと第２のパターンのいずれの同期信号も検出でき、
同期信号を検出できているときには、同期信号が検出できていることを示す信号を外部へ出力することを特徴とする集積回路。
【請求項１８】
請求項１６又は請求項１７に記載の集積回路において、
前記第１及び第２のパターンの同期信号を検出するための同期信号検出窓を生成する３種類のタイミングが外部から入力され、
該３種類のタイミングが異なることを特徴とする集積回路。
【請求項１９】
請求項１６又は請求項１７に記載の集積回路において、
前記第１及び第２のパターンの同期信号を検出するための同期信号検出窓を生成する３種類のタイミングが前記制御手段から入力され、
該３種類のタイミングは、前記第１又は第２のパターンの先頭に対応する第１のタイミングと、該第１のタイミングから正方向へjTシフトした第２のタイミングと、前記第１のタイミングから負方向へjTシフトした第３のタイミングであることを特徴とする集積回路。
【発明の詳細な説明】
【技術分野】
【０００１】
本発明は、同期信号とアドレス情報が予め記録されている光ディスクの同期信号検出に用いる集積回路に関する。
【背景技術】
【０００２】
近年の光ディスクの多層化・高密度化に伴い、記録層間の再生信号の混入（以下「クロストーク」という）や同一記録層でのトラック間のクロストークが発生し、トラックに記録され同期信号やデータの正しい再生が出来なくなるという問題が生じている。
【０００３】
その一つの解決方法として、特許文献１に示すDVD-RフォーマットのようにEvenとOddと呼ばれる2種類のフレームを準備し、近傍からの再生信号の混入を受けないように任意の位置に同期信号またはアドレス情報の埋め込み位置を切り替える方法が挙げられる。なお、同期信号、アドレス情報はランドトラックにピットとして予め記録されているものであり、ランドプリピット（以下「LPP」という）と呼ばれる。
【０００４】
DVD-RフォーマットのLPP情報検出方法として、Even/Odd両方でフレーム毎に検出窓を生成し、得られたLPPパターンを判別し、次の検出窓の位置を補正することで連続して検出を行う方法が知られている（特許文献１参照）。
【０００５】
また、ウォブルの位相変調を用いて同期信号やアドレス情報を埋め込む方式においても特許文献２のように同様に提案がなされており、埋め込み位置を周方向へシフトすることで同様に隣接トラックからの影響を少なくすることができる。
【特許文献１】特開2003-228917号公報
【特許文献２】特開2004-253029号公報
【発明の開示】
【発明が解決しようとする課題】
【０００６】
特許文献２に開示される同期信号・アドレス情報のシフト方式をDVD+RWフォーマットに適用した場合、以下に述べる問題が生じる。この問題について順を追って説明する。
【０００７】
まず、図３を用いてDVD+RWフォーマットについて説明する。DVD+RWのアドレスは、正弦波からなる正相のウォブルと、正相のウォブルの位相を180°反転させた逆相のウォブルの組み合わせで表現され、ADIP（Address in pre-groove）と呼ばれるアドレス情報を形成している。ウォブルの周期は32Tとなり、ディスク上のトラックに記録するデータ記録単位であるシンクフレーム2個中に93個のウォブルが対応している。なお、Tは信号長の基本単位であるチャネルビットを表しており、ここでは特に光ディスク上の記録マーク長の基本単位として、T=26.16MHzとする。
【０００８】
この93個のウォブルは、8個の位相変調部分と85個のウォブルで構成され、ADIP Unitと呼ばれる。ADIP Unitとしては、位相変調部がword sync同期信号に相当しADIP Sync Unitと呼ばれるADIP Unitと、位相変調部がbit sync同期信号とdata bit（０または１）で構成されるADIP Data Unitと呼ばれるADIP Unitがある。52個のADIP Unitにより1 ADIP Wordが構成され、これにより一つのADIPアドレスが構成される。ADIP Wordは、4セクタに1個の割合で含まれているため、１６セクタで構成される１訂正ブロック（ECCブロック）の中には4個のADIPアドレスが含まれていることになる。
【０００９】
次に、図4を用いて、特許文献２に開示される同期信号・アドレス情報のシフト方式を図３に示されるDVD+RWフォーマットに適用した構成を説明する。図４は図３のADIP Unit内の位相変調部を、n（n：0〜84のいずれかの値の固定値とする）ウォブルだけ周方向にシフトさせた構成である。位相変調部分が隣接する場合において、図４のシフトしたウォブル構造を適用することで、記録トラック間のクロストークを低減することができる。なお、特許文献２に開示されるディスクフォーマットは、図３のアドレスパターンと図４のアドレスパターンが混在して配置されているものである。
【００１０】
DVD+RWフォーマットの同期信号検出の従来方法として、固定周期の周期カウンタを構成し生成した検出窓を用いて同期信号を検出する方法が知られているが、図４のシフトしたウォブル構造をもつアドレスパターンが混在する場合は、アドレスパターンの切り替わり部分では周期性が一定ではないため同期信号を検出できなくなってしまう。更に、同期信号をとれなくなるためにアドレスデータ検出もできなくなってしまう。
【００１１】
シフトしたウォブル構造をもつアドレスパターンは、DVD-RフォーマットにおけるEvenに対するOddの関係と似ているため、従来のように両者の位置で検出窓を生成して検出することが考えられる。しかし、DVD-RフォーマットにおけるEvenの同期信号パターンとOddの同期信号パターンは異なるため、同期信号の検出によりいずれのアドレスパターンを読み取っているかを判別できるのに対し、特許文献２に開示されたディスクフォーマットでは単に同期信号位置をシフトしたアドレスパターンが混在しているため、同期信号の検出だけではいずれのアドレスパターンを読み取っているかを判別できない。
【００１２】
そこで本発明は、従来のアドレスパターンと同期信号位置が単にシフトしたアドレスパターンが混在するディスクの同期信号検出のための集積回路を提供することを目的とする。
【課題を解決するための手段】
【００１３】
上記問題は、
周期iT（i：正の整数、T：光ディスク上の記録マーク長の基本単位であるチャネルビット）毎に先頭に同期信号が予め記録され、該同期信号に続いてアドレス情報が予め記録されている第１のパターンと、前記先頭からjT（j：正の整数、j≠i）の位置に同期信号が予め記録され、該同期信号に続いてアドレス情報が予め記録されている周期iTの第２のパターンを有する光ディスクから情報を読み取る情報読取手段を備える光ディスク記録再生装置に用いられ、前記情報読取手段に接続されて前記情報読取手段から入力される情報を処理する集積回路であって、
前記第１又は第２のパターンの先頭位置に対応する第１のタイミングと、該第１のタイミングに対応する位置から正方向へjTシフトした位置に対応する第２のタイミングと、前記第１のタイミングに対応する位置から負方向へjTシフトした位置に対応する第３のタイミングを生成できる周期カウンタ手段と、
前記第１のタイミングで第１の同期信号検出窓を、前記第２のタイミングで第２の同期信号検出窓を、前記第３のタイミングで第３の同期信号検出窓をそれぞれ生成する同期信号検出窓生成手段と、
前記第１又は第２又は第３の同期信号検出窓のいずれか１つにより前記第１又は第２のパターンにおける同期信号のいずれか１つを検出する同期信号検出手段と、
を具備することを特徴とする集積回路を用いることにより解決できる。
【発明の効果】
【００１４】
本発明の集積回路では、正しいアドレスを検出することができる。
【発明を実施するための最良の形態】
【００１５】
以下、図面を参照して本発明の実施例について説明する。
【００１６】
図1は本発明の第1の実施例である光ディスク記録再生装置である。101はディスクであり、102はディスク101のデータの記録／再生を行うピックアップ、103はディスク101を回転させるスピンドルモータである。104はピックアップ102に含まれる半導体レーザーの制御を行うレーザードライバ（Laser Diode Driver：以下、LDD）であり、105はディスク101より読み取られた再生データ及びウォブル信号におけるアナログ処理を行うアナログ・フロント・エンド（Analog Front End：以下、AFE）である。106はAFE 105より入力されたウォブル信号を2値化及び同期クロック生成を行い、2値化ウォブルから位相変調部分を検出する位相変調検出部であり、107は位相変調を含むパターンから同期信号（以下、SYNC）及びデータパターンを検出するパターン検出部である。108は1 ADIP Word周期をカウントする周期カウンタ、109〜111は周期カウンタ108から同期信号を検出するための検出窓を生成するSYNC窓生成部、112はパターン検出部107から得られたパターンから同期信号を検出するSYNC検出部である。113は周期カウンタ108からアドレスデータを検出するための検出窓を生成するアドレス窓生成部、114はパターン検出部107から得られたパターンからアドレスデータを検出するアドレス検出部である。115は記録データを生成するエンコーダ部、116はシステムを統括するマイコンである。図示していないが、光ディスク再生用のデコーダ部やデータを一時記憶するためのRAMなども必要となる。なお、SYNC検出窓を生成するタイミングや、アドレス検出窓を生成するタイミングは周期カウンタ108が生成してもよく、周期カウンタの代わりにマイコンがタイミングを生成して周期カウンタへ送ることとしてもよい。
【００１７】
以下、図1を用いてDVD+RW記録動作について説明する。ピックアップ102を介してディスク101上のアドレス情報がAFE 105に入力される。DVD+RWの場合のアドレス情報はウォブル信号であり、位相変調検出部106に入力されて、通常のウォブル信号は「0」、位相変調しているウォブル信号は「1」として2値化（図3〜4参照）される。
【００１８】
次に、2値化信号からADIP Word単位の同期信号であるSYNCパターン（word sync）及びデータパターン（data bit）を検出する。ディスク上の位置を特定するために、まずSYNCパターンを用いて同期化を行う。ウォブル信号の乱れによる誤検出、未検出もありうるのでSYNCの周期性を利用し、周期窓を生成して連続的に検出することで正しいSYNCを検出することができる。それらしいSYNCパターンを起点として周期カウンタ108を動作開始し、DVD+RWの場合は32T×93ウォブル×52ユニットの1 ADIP Word単位が1SYNC周期なので、1SYNC周期ごとに0に戻すカウンタを構成することで、SYNCは常に0近傍の位置となる。よって、SYNC窓（0）生成部110で0の位置を示すSYNC検出窓を生成し、パターン検出部107から得られるSYNCパターンを用いて、SYNC検出部112においてSYNCパターンの連続性を検出することでSYNC位置の特定を行う。例えば、SYNC検出窓（0）は周期カウンタ108の「0」の位置を中心として±xT（x：整数）の窓幅で生成し、検出窓が開いている間にSYNCパターンがあればSYNCとみなし、検出窓が閉じている間にSYNCパターンらしきものがあってもSYNCとみなさないものとする。周期保護を行ったSYNCを検出することで誤検出を少なくし、ある一定回数SYNC検出された時点で周期カウンタ108の値とディスク101上の位置との整合の信頼性が高めることができる。逆に、一定回数SYNC未検出の場合は、異常と判断して、再検出を行うものとする。
【００１９】
次に、確定付けられたSYNC位置により補正された周期カウンタ108を用いてアドレスデータの検出を行う。図3に示すように各ADIPユニットにおけるデータパターンの位置によりデータの「0」と「1」を識別する。周期カウンタ108によりデータ「0」と「1」の位置のアドレス検出窓113を生成し、検出されたデータパターンとそれぞれのアドレス検出窓を用いて、データ1ビットを検出し、51ユニット分のデータビットを検出することで、走査してきた1ADIP Wordにおけるアドレス情報を得ることができる。次に、マイコン116の記録開始指示アドレスとウォブルより得られる物理アドレスとの比較により記録開始位置を検出し、エンコーダ115により生成された記録データをLDD104及びピックアップ102を介して、ディスク101に記録する。
【００２０】
図3及び図4で示されるアドレス方式が混在するディスクに対応可能な光ディスク記録再生装置として、周期カウンタ108が「0」の位置でSYNC検出窓を生成するSYNC（0）窓生成部110に加えて、SYNC等の位置シフト分だけ正方向及び負方向にずれた位置のSYNC検出窓を生成するSYNC窓（+）生成部111及びSYNC窓（-）生成部109を追加し対応する。
【００２１】
これら検出窓を用いた同期信号検出方法の詳細を図5及び図6を用いて説明する。図5及び図6における501は1 ADIP Word単位を示しており、枠内の数字の「1」は図3で示される通常のウォブル位置によるADIPパターン（以下、パターン1）、「2」は図4で示されるシフトしたウォブル位置によるADIPパターン（以下、パターン2）を示す。502は1 ADIP WordにおけるSYNCの位置を示し、図中の周期「A」は、「32T×93ウォブル×52ユニット」の周期を有し、「N」はパターン2における同期信号位置のウォブルシフト量「32T×nウォブル」とする。503はSYNC検出窓（0）のみを用いた場合の検出窓の位置及び検出結果、504は検出窓（0）、検出窓（+）、検出窓（-）の3つの検出窓を用いた場合の検出窓の位置及び検出結果を示しており、「○」がSYNC検出可能、「×」がSYNC検出不可能とする。505は周期カウンタ108の1周期動作、506はアドレス検出窓の位置で、図中の周期「B」は最初のアドレスビットが格納されているADIP Data Unitの位置「32T×93ウォブル×1ユニット」を示す。507はアドレス情報として埋め込まれている値の検出等によるADIPパターン検出値とし、「0」がパターン1、「1」がパターン2を示す。なお、図5では506のアドレス検出窓の位置を省略して示しているが、アドレス検出窓は51ユニット分行うものとする。
【００２２】
まず、図5を用いて、最初にパターン1のSYNC位置を基準として周期カウンタ108を動作させた場合について説明する。ADIPパターン1からADIPパターン2への切り替わり箇所はSYNC周期が「A+N」と従来の周期「A」とは異なるため、SYNC検出窓（0）のみを用いてSYNCを検出しようとした場合、SYNC検出連続性が維持することが出来なくなり、パターン2のADIPパターンで連続してSYNC未検出となる。
【００２３】
そこで、本実施例では、周期カウンタ108の「0」の位置の検出窓（0）及び周期カウンタ108の「N」の位置の検出窓（+）、周期カウンタ108の「A-N」の位置の検出窓（-）を用いる。ADIPパターンが１から２に切り替わり箇所では、周期カウンタ108の「0」の位置の検出窓（0）ではなくて、周期カウンタ108の「N」の位置の検出窓（+）で同期信号が検出されるので、検出位置において周期カウンタ108を「0」補正する。これにより、その後のADIPパターン2の検出においても、常に周期カウンタ108の「0」の位置の検出窓（0）で検出が可能となる。
【００２４】
ADIPパターン2からADIPパターン1への切り替わる箇所でも同様に、周期カウンタ108の「A-N」の位置の検出窓（-）により検出され、周期カウンタ108を再び「0」に補正することで、連続してSYNC位置を検出することができる。
【００２５】
SYNC位置が常に「0」として補正された周期カウンタ108により常に「B」の周期で生成されるアドレス検出窓によって、ウォブルに埋め込まれたアドレスを検出することができる。
【００２６】
次に、図6を用いて、最初にパターン2のSYNC位置を基準として周期カウンタ108を動作させた場合について説明する。図5と同様に、ADIPパターン2からパターン1、ADIPパターン1からパターン2の切り替わりは、それぞれ周期カウンタ108の「A-N」の位置の検出窓（-）、周期カウンタ108の「N」の位置の検出窓（+）によりSYNCが検出でき、検出位置により周期カウンタ108を「0」補正することで、常に連続してSYNC検出が可能となる。
【００２７】
以上のようにこの実施例では一定周期でSYNCを検出する検出窓として、周期カウンタ108の「0」の位置の周期窓に加えて、正方向及び負方向へSYNC位置のウォブルシフト量「N」の位置の周期窓によりSYNCを検出し、検出位置において周期カウンタを「0」補正する構成を有することで、SYNC位置が異なるアドレス方式が混在するディスクにおいて連続してSYNC検出が可能となり、正しいアドレスを検出することができる。また、例えば製造上の不良によりアドレス情報が記録されていないディスクの同期信号を検出する場合や、適切にアドレス情報を読み取れなかった場合にも、この実施例ではアドレス情報を読み取ることなく同期信号を検出することが可能であるため、上記のような不良ディスク等を記録再生する際にも正しく同期信号検出ができる特徴を有する。
【００２８】
図2は本発明の第2の実施例である光ディスク記録再生装置である。パターン1とパターン2のSYNC検出及びアドレス検出の検出窓として、それぞれSYNC窓（0）生成部110及びアドレス窓（0）生成部201、SYNC窓（+）生成部111及びアドレス窓（+）生成部202により構成され、その他は図1と同等とする。
【００２９】
以下、図7及び図8を用いて第2の実施例である光ディスク記録再生装置における同期信号検出方法について説明する。図7及び図8における701は1 ADIP Word単位を示しており、枠内の数字の「1」は図3で示される通常のウォブル位置によるADIPパターン（以下、パターン1）、「2」は図4で示されるシフトしたウォブル位置によるADIPパターン（以下、パターン2）を示す。702は1 ADIP WordにおけるSYNCの位置を示し、図中の周期「A」は、「32T×93ウォブル×52ユニット」の周期を有し、「N」はパターン2における同期信号位置のウォブルシフト量「32T×nウォブル」とする。703は検出窓（0）のみを用いたSYNC検出窓位置及び検出結果、704は検出窓（0）、検出窓（+）の2つの検出窓を用いたSYNC検出窓位置及び検出結果を示しており、「○」がSYNC検出可能、「×」がSYNC検出不可能とする。705は周期カウンタ108の1周期動作、706はアドレス検出窓（0）及び検出窓（+）で、図中の周期「B」「B+N」はそれぞれのパターンにおける最初のアドレスビットが格納されているADIP Data Unitの位置「32T×93ウォブル×1ユニット」、「32T×93ウォブル×1ユニット+32T×nウォブル」を示す。707はアドレス情報として埋め込まれている値の検出等によるADIPパターン検出値とし、「0」がパターン1、「1」がパターン2を示す。
【００３０】
まず、図7を用いて、最初にパターン1のSYNC位置を基準として周期カウンタ108を動作させた場合について説明する。本実施例の動作として、周期カウンタ108の「0」の位置の検出窓（0）によりパターン1のSYNC検出、周期カウンタ108の「N」の位置の検出窓（+）によりパターン2のSYNC検出を行うように制御する。また、アドレス検出窓としてパターン1の場合は周期カウンタ108の「B」の位置のアドレス検出窓（0）を用い、パターン2の場合は周期カウンタ108の「B+N」の位置のアドレス検出窓（+）を用いて、検出されたADIPパターンにより切り替えて用いることで正しいアドレス検出が可能となる。
【００３１】
次に、図8を用いて、最初にパターン2のSYNC位置を基準として周期カウンタ108を動作させた場合について説明する。図7の場合と違い、最初に検出されるのはパターン2であるためにアドレス情報等により補正する必要がある。これは、最初にパターン2のSYNCを検出した場合、周期カウンタ108の「0」の位置の検出窓（0）によりパターン2のSYNCが検出することになり、このタイミングのままではパターン2からパターン1への切り替わりでSYNCが検出できなくなるためである。SYNCだけではそれがパターン1であるかパターン2であるか判別不可能なので、アドレスとして埋め込まれているADIPパターン値により一旦補正する。これにより、補正後の検出は周期カウンタ108の「0」の位置の検出窓（0）によりパターン1のSYNC検出、周期カウンタ108の「N」の位置の検出窓（+）によりパターン2のSYNC検出を行うように制御できる。なお本実施例では、第１の実施例で述べたようなアドレス情報のないディスク等に対して、最初にパターン2のSYNC位置を基準として周期カウンタ108を動作させた場合、アドレス情報等によるタイミング補正ができないため、同期信号検出もできないことになる。
【００３２】
以上のようにこの実施例では一定周期でSYNCを検出する検出窓として、周期カウンタ108の「0」の位置の周期窓に加えて、正方向へウォブルシフト量「N」の位置の周期窓によりSYNCを検出し、SYNC位置が異なる構造が混在するディスクにおいて連続してSYNC検出が可能となり、正しいアドレスを検出することができる。
【００３３】
図9は本発明の第3の実施例である光ディスク記録再生装置である。パターン2のアドレス方式をパターン1のアドレス方式に変換するパターン生成部901と、パターン1のみのアドレス方式によりSYNC検出及びアドレス検出が可能なADIPデコーダ部により構成し、その他は図1と同等とする。
【００３４】
以下、図9の光ディスク記録再生装置の動作について説明する。パターン1及びパターン2のアドレス方式のディスクに対して、図5及び図6で見られる検出方法によりSYNC検出を行い、アドレスビットの抽出を行う。ここで、アドレス検出を行うのではなくて、パターン生成部901においてパターン2のアドレス方式をパターン1のアドレス方式に変換し、全てのアドレス方式をパターン1のみとしてADIPデコーダ部902へ入力する。ADIPデコーダ部902においては、パターン1のみのアドレス方式となるため、従来のDVD+RWディスクのアドレス検出方法が適用可能で、単一のSYNC位置の周期性によりSYNC検出を行い、アドレスを検出することができる。ADIPデコーダ部902は従来のパターン1のアドレス方式のみのディスクの記録装置に既存の回路であるため、パターン生成部901を追加することで、従来の回路を流用することができる。
【００３５】
図10は本発明の第4の実施例である光ディスク記録再生装置である。SYNC窓（-）生成部109及びSYNC窓（+）生成部111で生成される検出窓の出力を切り替えるスイッチ1001,1002を付加し、その他は図1と同等とする。
【００３６】
以下、図10の光ディスク記録再生装置の動作について説明する。パターン1のみが存在するアドレス方式のディスクにおいて、パターン2のようなウォブルシフト量の位置のSYNC検出は不要となるため、切り替えスイッチ1001,1002により出力を停止する。これにより、周期カウンタ108の値「0」の位置のSYNC検出窓だけによる固定周期でのSYNC検出となり、不要なSYNC検出窓による誤検出を防ぐことが出来、信頼性を上げることができる。
【００３７】
なお、実施例1から実施例4の説明では、DVD+RWのようにウォブルの位相変調によりSYNC及びデータがプリフォーマットされているディスクについて説明したが、本発明はこれに限定されるものではなく、複数のSYNC位置を持つ構造におけるSYNCを連続的に検出するという趣旨のもとに、その趣旨を逸脱しない範囲で種々に変形して実施することができる。
【００３８】
また、実施例1から実施例4の説明では、説明のためにDVD+RWを例として光ディスク上の記録マーク長の基本単位であるチャネルビットTを26.16MHzとしたが、本発明はこれに限られるものではなく任意の値としてもよい。
【００３９】
さらに、実施例1から実施例4の説明では、例としてSYNC窓生成部やアドレス窓生成部を複数示したが、本発明はこれに限られるものではなく、例えば一つのSYNC窓生成部やアドレス窓生成部を用いて複数のタイミングの窓を生成する等、生成部の個数は任意としてもよい。
【００４０】
実施例1から実施例4の説明では、光ディスクから読み取った情報の同期信号検出を行うことについて主に述べたが、本発明はこれに限られるものではなく、光ディスク以外から入力される情報の同期信号検出を行ってもよい。
【００４１】
実施例1、実施例3、実施例4では、同期信号がシフトした2種類のアドレスパターンに対して3種類のSYNC検出窓を生成する方法について主に述べたが、本発明はこれに限られるものではなく、M+1種類(M：正の整数)のアドレスパターンを有する光ディスクや信号に対して2M+1種類のSYNC検出窓を生成することとしてもよい。
【図面の簡単な説明】
【００４２】
【図１】本発明の第1の実施例である光ディスク記録再生装置の構成を示すブロック図である。
【図２】本発明の第2の実施例である光ディスク記録再生装置の構成を示すブロック図である。
【図３】DVD+RWのウォブル構造を示す図である。
【図４】DVD+RWのウォブル構造において位置シフトした構成を示す図である。
【図５】本発明の第1の実施例によるSYNC検出を示すタイミングチャート図である。
【図６】本発明の第1の実施例によるSYNC検出を示すタイミングチャート図である。
【図７】本発明の第2の実施例によるSYNC検出を示すタイミングチャート図である。
【図８】本発明の第2の実施例によるSYNC検出を示すタイミングチャート図である。
【図９】本発明の第3の実施例である光ディスク記録再生装置の構成を示すブロック図である。
【図１０】本発明の第4の実施例である光ディスク記録再生装置の構成を示すブロック図である。
【符号の説明】
【００４３】
101…ディスク、102…ピックアップ、103…スピンドルモータ、104…LDD、105…AFE、106…位相変調検出部、107…パターン検出部、108…周期カウンタ部、109…SYNC窓（-）生成部、110…SYNC窓（0）生成部、111…SYNC窓（+）生成部、112…SYNC検出部、113…アドレス窓生成部、114…アドレス検出部、115…エンコーダ、116…マイコン、201…アドレス窓（0）生成部、202…アドレス窓（+）生成部、901…パターン生成部、902…ADIPデコーダ、1001…切り替えスイッチ、1002…切り替えスイッチ。
【図１】
2006139816.tif 000003
【図２】
2006139816.tif 000004
【図３】
2006139816.tif 000005
【図４】
2006139816.tif 000006
【図９】
2006139816.tif 000007
【図１０】
2006139816.tif 000008
【図５】
2006139816.tif 000009
【図６】
2006139816.tif 000010
【図７】
2006139816.tif 000011
【図８】
2006139816.tif 000012